(57)【要約】【課題】携帯端末装置のバッテリーの充電が切れた場合でも、携帯端末装置から印刷装置へ指示したプリントジョブの印刷を実行する。【解決手段】本発明の一態様は、印刷装置と通信が可能である第１の通信部と、携帯端末装置を識別するための携帯端末識別情報を記憶する不揮発性のメモリを有し、印刷装置と磁気結合による通信が可能である第１の近接通信部と、プリント予定ジョブを保持するジョブ保持部と、該ジョブ保持部に保持されたプリント予定ジョブ及び携帯端末装置を識別するための携帯端末識別情報を印刷装置へ送信する際に、送信したプリント予定ジョブの名称を上記メモリへ書き込むジョブ管理部を備える。【選択図】図２
2018041313.tif 000002
【特許請求の範囲】
【請求項１】
印刷指示可能な携帯端末装置と、該携帯端末装置の印刷指示に基づいて印刷処理を行う印刷装置とがネットワークを介して相互に通信可能に接続された印刷システムにおいて、
前記携帯端末装置は、
前記印刷装置と通信が可能である第１の通信部と、
前記携帯端末装置を識別するための携帯端末識別情報を記憶する不揮発性のメモリを有し、前記印刷装置と磁気結合による通信が可能である第１の近接通信部と、
プリント予定ジョブを保持するジョブ保持部と、
前記ジョブ保持部に保持された前記プリント予定ジョブ及び前記携帯端末装置を識別するための携帯端末識別情報を前記印刷装置へ送信するとともに、送信した前記プリント予定ジョブの名称を前記メモリへ書き込むジョブ管理部と、を備える
印刷システム。
【請求項２】
前記携帯端末装置は、二次電池と、
前記二次電池の充電残量を監視する充電残量監視部と、を更に備え、
前記ジョブ管理部は、前記充電残量監視部により検知された前記二次電池の充電残量が所定量以下である場合に、前記プリント予定ジョブの送信を行う
請求項１に記載の印刷システム。
【請求項３】
前記印刷装置は、
前記携帯端末装置の前記第１の通信部と通信を行う第２の通信部と、
前記携帯端末装置の前記第１の近接通信部と磁気結合による通信が可能である第２の近接通信部と、
前記第２の通信部により自装置から所定の距離内に前記携帯端末装置が存在することを検知する携帯端末検知部と、
前記携帯端末装置に関する情報を管理する携帯端末情報管理部と、を備え、
前記携帯端末情報管理部は、前記携帯端末検知部により前記携帯端末装置が所定の距離内に存在することを検知した場合に、前記第２の通信部を介して前記携帯端末装置に対し前記携帯端末装置の充電残量通知要求を送信し、前記携帯端末装置から受信した前記携帯端末装置の充電残量が所定量以下である場合には、前記携帯端末装置に対しプリント予定ジョブ送信要求を送信し、前記携帯端末装置から前記プリント予定ジョブ及び前記携帯端末識別情報を受信する
請求項２に記載の印刷システム。
【請求項４】
前記携帯端末装置の前記ジョブ管理部は、前記プリント予定ジョブの送信に必要な電力量を算出し、前記電力量から前記充電残量を減算する計算を行い計算値と閾値を比較し、比較結果に応じて前記プリント予定ジョブの送信を行う
請求項２に記載の印刷システム。
【請求項５】
前記印刷装置は、
前記第２の通信部を介して前記携帯端末装置から受信した前記プリント予定ジョブの名称の一覧を表示する表示部と、
ユーザーの入力操作を受け付ける操作部と、
前記携帯端末装置から受信した前記プリント予定ジョブの中から印刷を実行するプリント対象ジョブを特定する対象ジョブ特定部と、
前記プリント対象ジョブを実行するプリンタエンジンと、を更に備え、
前記印刷装置の前記第２の近接通信部は、前記携帯端末装置の前記第１の近接通信部が自装置と通信可能な距離に存在することを検知した場合に、前記第１の近接通信部の前記メモリから前記プリント予定ジョブの名称及び前記携帯端末識別情報を読み出し、
前記対象ジョブ特定部は、前記表示部に表示された前記プリント予定ジョブの名称及び前記携帯端末識別情報の一覧の中から前記操作部により指定された前記プリント予定ジョブの名称に紐付けられた前記携帯端末識別情報と、前記第２の近接通信部を介して前記携帯端末装置から受信した前記プリント予定ジョブに紐付けられた前記携帯端末識別情報とが一致するとき、指定された前記プリント予定ジョブを前記プリント対象ジョブに特定する
請求項３又は４に記載の印刷システム。
【請求項６】
前記対象ジョブ特定部は、前記操作部により指定された前記プリント予定ジョブの名称に紐付けられた前記携帯端末識別情報と、前記第２の近接通信部を介して前記携帯端末装置から受信した前記プリント予定ジョブに紐付けられた前記携帯端末識別情報とが一致しないとき、
前記プリント予定ジョブの名称及び前記携帯端末識別情報を含むジョブ転送要求を、前記ネットワークに接続された他の印刷装置へ送信し、
指定された前記プリント予定ジョブの名称及び前記携帯端末識別情報に対応するプリント予定ジョブを前記他の印刷装置から受信し、
その受信した前記プリント予定ジョブを前記プリント対象ジョブに特定する
請求項５に記載の印刷システム。
【請求項７】
前記印刷装置の前記携帯端末情報管理部は、前記携帯端末装置から通知された前記二次電池の充電残量に応じて、前記携帯端末装置に対する前記充電残量通知要求の送信タイミングを設定する
請求項２乃至６のいずれかに記載の印刷システム。
【請求項８】
前記携帯端末装置の前記ジョブ管理部は、送信する前記プリント予定ジョブのヘッダー部に前記プリント予定ジョブの名称を書き込む
請求項１乃至７のいずれかに記載の印刷システム。
【請求項９】
前記印刷装置の前記携帯端末情報管理部は、受信した前記プリント予定ジョブのヘッダー部に前記携帯端末識別情報を書き込む
請求項３乃至７のいずれかに記載の印刷システム。
【請求項１０】
前記印刷装置の前記携帯端末情報管理部は、受信した前記プリント予定ジョブの名称と前記携帯端末識別情報とを紐付けたジョブ管理リストを生成する
請求項３乃至７のいずれかに記載の印刷システム。
【請求項１１】
印刷装置と通信が可能である通信部と、
当該携帯端末装置を識別するための携帯端末識別情報を記憶する不揮発性のメモリを有し、前記印刷装置と磁気結合による通信が可能である近接通信部と、
プリント予定ジョブを保持するジョブ保持部と、
前記ジョブ保持部に保持された前記プリント予定ジョブ及び前記携帯端末識別情報を前記印刷装置へ送信するとともに、送信した前記プリント予定ジョブの名称を前記メモリへ書き込むジョブ管理部と、を備える
携帯端末装置。
【請求項１２】
携帯端末装置と通信を行う通信部と、
前記携帯端末装置と磁気結合による通信が可能である近接通信部と、
前記通信部により自装置から所定の距離内に前記携帯端末装置が存在することを検知する携帯端末検知部と、
前記携帯端末装置に関する情報を管理する携帯端末情報管理部と、
前記通信部を介して前記携帯端末装置から受信したプリント予定ジョブの名称の一覧を表示する表示部と、
ユーザーの入力操作を受け付ける操作部と、
前記携帯端末装置から受信した前記プリント予定ジョブの中から印刷を実行するプリント対象ジョブを特定する対象ジョブ特定部と、
前記プリント対象ジョブを実行するプリンタエンジンと、を更に備え、
前記近接通信部は、前記携帯端末装置が自装置と通信可能な距離に存在することを検知した場合に、前記携帯端末装置が備える近接通信部のメモリからプリント予定ジョブの名称、及び携帯端末識別情報を読み出し、
前記対象ジョブ特定部は、前記表示部に表示された前記プリント予定ジョブの名称及び前記携帯端末識別情報の一覧の中から前記操作部により指定された前記プリント予定ジョブの名称に紐付けられた、前記携帯端末装置を識別するための前記携帯端末識別情報と、前記近接通信部を介して前記携帯端末装置から受信した前記プリント予定ジョブに紐付けられた前記携帯端末識別情報とが一致するとき、指定された前記プリント予定ジョブを前記プリント対象ジョブに特定する
印刷装置。
【発明の詳細な説明】
【技術分野】
【０００１】
本発明は、携帯端末装置から受信したプリントジョブに基づき印刷装置で印刷を実行する印刷システム、携帯端末装置及び印刷装置に関する。
【背景技術】
【０００２】
従来、携帯端末装置から印刷装置へプリントジョブを送信して印刷を行うモバイルプリントというシステムがある。モバイルプリントにおいて、携帯端末装置のバッテリーの充電残量がなくなった（「充電切れ」）場合には、携帯端末装置内のプリントジョブを印刷装置へ送信できないため、印刷機会を失う。これに対しては、携帯端末装置の充電切れに備えて事前にプリントジョブをサーバーにアップしておくことが考えられる。しかし、全プリントジョブをサーバーにアップすると、ネットワーク及びサーバーの負荷が増大する。
【０００３】
例えば特許文献１に、リモート端末のバッテリーの電圧が低下した場合について考慮した技術が開示されている。特許文献１に開示の技術は、リモート端末が自身のバッテリーの電圧低下を検出した場合に、印刷装置へ通知するとともに、それまでに設定された設定情報を印刷装置に送信し、印刷装置は受信した設定情報を設定画面に反映し、印刷装置において設定操作を継続できる。
【先行技術文献】
【特許文献】
【０００４】
【特許文献１】特開２０１４−１８７５７５号公報
【発明の概要】
【発明が解決しようとする課題】
【０００５】
しかしながら、特許文献１に記載の技術は、リモート端末による印刷装置の設定操作中における、リモート端末のバッテリーの電源低下に対する対策であって、モバイルプリントにおいて携帯端末装置のバッテリーの充電切れに対する対策ではない。即ち、特許文献１に記載の技術では、携帯端末装置のバッテリーの充電が切れてしまった場合に、携帯端末装置で生成したプリントジョブの印刷を実行することができない。
【０００６】
上記の状況に鑑み、本発明は、携帯端末装置のバッテリーの充電が切れた場合でも、携帯端末装置から印刷装置へ指示したプリントジョブの印刷を実行できることを目的とする。
【課題を解決するための手段】
【０００７】
本発明の一態様の印刷システムは、印刷指示可能な携帯端末装置と、該携帯端末装置の印刷指示に基づいて印刷処理を行う印刷装置とがネットワークを介して相互に通信可能に接続された印刷システムである。
上記携帯端末装置は、印刷装置と通信が可能である第１の通信部と、携帯端末装置を識別するための携帯端末識別情報を記憶する不揮発性のメモリを有し、印刷装置と磁気結合による通信が可能である第１の近接通信部と、プリント予定ジョブを保持するジョブ保持部と、該ジョブ保持部に保持されたプリント予定ジョブ及び携帯端末装置を識別するための携帯端末識別情報を印刷装置へ送信するとともに、送信したプリント予定ジョブの名称をメモリへ書き込むジョブ管理部と、を備える。
【発明の効果】
【０００８】
本発明の少なくとも一態様によれば、携帯端末装置のバッテリーの充電が切れていても、印刷装置に携帯端末装置をかざすことで、事前に携帯端末装置から印刷装置へ送信したプリント予定ジョブの印刷を実行することができる。
上記した以外の課題、構成及び効果は、以下の実施形態の説明により明らかにされる。
【図面の簡単な説明】
【０００９】
【図１】本発明の第１の実施形態に係る印刷システムの全体構成例を示す概略図である。
【図２】本発明の第１の実施形態に係る携帯端末装置のハードウェア構成例を示すブロック図である。
【図３】本発明の第１の実施形態に係る携帯端末装置の制御部の機能を示すブロック図である。
【図４】プリントジョブ指定画面の一例を示す図である。
【図５】プリント設定画面の一例を示す図である。
【図６】本発明の第１の実施形態に係る印刷装置のハードウェア構成例を示すブロック図である。
【図７】本発明の第１の実施形態に係る印刷装置の制御部の機能を示すブロック図である。
【図８】本発明の第１の実施形態に係る携帯端末管理リストの一例を示す図である。
【図９】本発明の第１の実施形態に係るプリント予定ジョブ送信処理例を示すシーケンス図である。
【図１０】プリント予定ジョブのデータ構造例を示す図である。
【図１１】本発明の第１の実施形態に係る印刷処理例を示すシーケンス図である。
【図１２】本発明の第２の実施形態に係る充電残量に応じた充電残量通知要求の送信設定処理例を示すフローチャートである。
【図１３】本発明の第４の実施形態に係る指定されたプリント予定ジョブが自装置にない場合の印刷処理例を示すフローチャートである。
【図１４】本発明の第５の実施形態に係るジョブ管理リストの一例を示す図である。
【発明を実施するための形態】
【００１０】
以下、本発明を実施するための形態の例について、添付図面を参照しながら説明する。説明は下記の順序で行う。なお、各図において実質的に同一の機能又は構成を有する構成要素については、同一の符号を付して重複する説明を省略する。
１．第１の実施形態（プリント予定ジョブのジョブ名をＮＦＣチップに記録する例）
２．第２の実施形態（充電残量に応じて充電残量通知要求を設定する例）
３．第３の実施形態（携帯端末装置がプリント予定ジョブを能動的に送信する例）
４．第４の実施形態（指定されたプリント予定ジョブを他装置から取得する例）
５．第５の実施形態（印刷装置が管理リストを作成する例）
６．その他
【００１１】
＜１．第１の実施形態＞
［印刷システムの構成］
図１は、第１の実施形態に係る印刷システムの全体構成例を示す。
【００１２】
図１の印刷システム１は、携帯端末装置２、印刷装置３、印刷装置４及びアクセスポイント５がネットワークＮを介して相互に通信可能に接続されている。ネットワークＮは、例えばイーサネット（登録商標）などの規格に準拠したＬＡＮ等のネットワークである。
【００１３】
携帯端末装置２は、スマートフォン、タブレット端末などの携帯可能な通信端末である。携帯端末装置２は、ユーザーの入力操作によって又は自動的に印刷出力が指示されたプリントジョブを、アクセスポイント５及びネットワークＮを介して印刷装置３又は４に送信する。このプリントジョブは、例えば、ＰＤＬ（Page Description Language）に従って携帯端末装置２により生成されるデータであり、出力設定や入力データ（原稿画像データ）が含まれる。
【００１４】
印刷装置３，４は、受信したプリンタジョブに基づいて、用紙に画像を形成して出力する。印刷装置３，４は、複数種類の機能（印刷機能、複写機能、スキャン機能等）を備えた複合機（ＭＦＰ：Ｍｕｌｔｉ  Ｆｕｎｃｔｉｏｎ  Ｐｅｒｉｐｈｅｒａｌ）でもよい。
【００１５】
［携帯端末装置］
図２は、第１の実施形態に係る携帯端末装置２のハードウェア構成例を示す。
【００１６】
携帯端末装置２は、図２に示すように制御部１１を備える。制御部１１は、バス１４を介して、表示部１５、操作部１６、不揮発性ストレージ１７、無線通信インターフェース１８、ＮＦＣチップ１９、充電制御部２０及びバッテリー２１と相互に通信可能に接続されている。
【００１７】
制御部１１は、例えばＣＰＵ（Central Processing Unit）１２ａ、ＣＰＵ１２ａが実行するプログラムや各種データ等を記憶するためのＲＯＭ（Read Only Memory）１２ｂ、及びＣＰＵ１２ａの作業領域として使用されるＲＡＭ（Random Access Memory）１２ｃを備える。
【００１８】
ＣＰＵ１２ａは、本実施形態に係る各機能を実現するソフトウェアのプログラムコードをＲＯＭ１２ｂから読み出して実行する。ＲＡＭ１２ｃには、演算処理の途中に発生した変数やパラメータ等が一時的に書き込まれる。なお、制御部１１は、ＣＰＵ１２ａの代わりに、ＭＰＵ（Micro-Processing Unit）等の処理装置を備えるようにしてもよい。
【００１９】
表示部１５は、例えば、液晶ディスプレイモニタであり、制御部１１で行われる処理の結果等を表示する。操作部１６には、例えばタッチパネルが用いられ、ユーザーが所定の操作入力、指示を行うことが可能である。
【００２０】
不揮発性ストレージ１７としては、例えば、ＳＳＤ（Solid State Drive）で駆動する不揮発性のメモリカード等が用いられる。この不揮発性ストレージ１７には、ＯＳ（Operating System）、各種のパラメータの他に、制御部１１を機能させるためのプログラムが記録されていてもよい。例えば不揮発性ストレージ１７は、プリント予定ジョブを保持するプリント予定ジョブ保持部として機能する。
【００２１】
無線通信インターフェース１８（第１の通信部の一例）には、例えば、ＮＩＣ（Network Interface Card）等が用いられ、無線によりアクセスポイント５を介してＬＡＮ等のネットワークＮに接続する。そして、無線通信インターフェース１８は、ネットワークＮを介して各装置間で各種のデータを送受信することが可能である。アクセスポイント５は、アクセスポイント機能を内蔵したルータでもよい。
【００２２】
ＮＦＣチップ１９（第１の近接通信部の一例）は、ＮＦＣ（Near Field Communication）規格に準拠して、１０ｃｍ程度の内に存在するＮＦＣ機器（例えば図６に示す印刷装置３，４のＮＦＣリーダー４９）とデータ通信を行う。ＮＦＣチップ１９は、いわゆるＮＦＣタグである。ＮＦＣでは、ＮＦＣ対応の機器同士をかざすように近づけるだけで通信ができる。ＮＦＣチップは、電池や電源が不要で、アンテナがリーダー／ライタから電磁波を受信する際の電磁誘導（磁気結合）で発生した電力だけで通信やデータの書き換えができるという特徴がある。
【００２３】
このＮＦＣチップ１９は、携帯端末装置２を識別するための携帯端末識別情報を記憶する不揮発性のメモリ１９ｍを有している。なお、ＲＯＭ１２ｂ又は不揮発性ストレージ１７に記録された携帯端末識別情報を必要に応じて読み出してメモリ１９ｍに記憶するようにしてもよい。携帯端末識別情報は、例えば携帯電話装置２のシリアル番号、ＮＦＣチップ１９や無線通信インターフェース１８のＭＡＣ（Media Access Control address）アドレスでもよい。
【００２４】
充電制御部２０は、各部に電力を供給するバッテリー２１（二次電池）の充放電の制御や充電残量（電圧）の検知を行い、制御結果や検知結果を制御部１１へ送信する。
【００２５】
図３は、第１の実施形態に係る携帯端末装置２の制御部１１の機能を示す。ＣＰＵ１２ａが、ＲＯＭ１２ｂに格納されたプログラムを実行することにより各部の機能が実現される。
【００２６】
制御部１１は、充電残量監視部１１ａとジョブ管理部１１ｂを備える。
【００２７】
充電残量監視部１１ａは、充電制御部２０を通じてバッテリー２１の充電残量を監視する。
【００２８】
ジョブ管理部１１ｂは、不揮発性ストレージ１７に保持されたプリント予定ジョブ及び携帯端末装置２を識別するための携帯端末識別情報を印刷装置３又は４へ送信するとともに、送信したプリント予定ジョブの名称をメモリ１９ｍへ書き込む。なお、本実施形態では、ジョブ管理部１１ｂは、充電残量監視部１１ａによって検知された二次電池の充電残量が所定量以下である場合に、プリント予定ジョブ及び携帯端末識別情報の送信を行う。
【００２９】
（プリントジョブ指定画面）
図４はプリントジョブ指定画面の一例を示す図であり、図４Ａは第１例、図４Ｂは第２例である。
【００３０】
図４Ａのプリントジョブ指定画面３０では、入力データのデータファイル名３１と、各データファイル名３１に対応してチェックボックス３２が表示されている。チェックボックス３２にチェックを入れることでデータファイルが指定され、印刷装置に送信するプリントジョブが生成される。本例では、プリントジョブに含まれるデータファイル名を表示したが、プリントジョブの名称を表示してもよい。またプリントジョブの名称は、データファイル名を用いてもよいし、ジョブ生成時の時刻に基づいて生成される文字列や数字列等からなる識別子としてもよい。
【００３１】
図４Ｂのプリントジョブ指定画面３０Ａでは、データファイルを示すアイコン３３と、各アイコン３３に対応してチェックボックス３２が表示されている。チェックボックス３２にチェックを入れることでデータファイルが指定され、印刷装置に送信するプリントジョブが生成される。
【００３２】
（プリント設定画面）
プリントジョブを指定する手段として、ジョブ（入力データ）を個別に指定する他に、指定アドレスから受信したメールの添付ファイルを指定することも可能とする。図５に、プリント設定画面の一例を示す。
【００３３】
図５のプリント設定画面３５では、「指定した宛先から受信したメールに添付されているファイルを印刷」という文章に対するチェックボックス３６にチェックが入れられている。またプリント設定画面３５には、宛先のメールアドレスを入力及び表示するメールアドレス表示欄３７が用意されている。
【００３４】
図４Ａ，図４Ｂ及び図５等の手段により指定されたプリントジョブが、プリント予定ジョブとして管理される。
【００３５】
不揮発性ストレージ１７に、図４Ａ、図４Ｂ及び図５Ｂに対応する不図示のプリント予定ジョブテーブルを格納してもよい。プリント予定ジョブテーブルは、「プリント予定ジョブの名称」、「フラグ」のフィールドを備え、図４Ａのようにチェックマークが付されたプリント予定ジョブを含むレコードのフラグをオンにする。
【００３６】
［印刷装置］
図６は、第１の実施形態に係る印刷装置３，４のハードウェア構成例を示す。以下、図６を参照して印刷装置３のハードウェア構成を説明するが、印刷装置４も同様の構成である。
【００３７】
印刷装置３は、図６に示すように制御部４１を備える。制御部４１は、バス４４を介して、表示部４５及び操作部４６からなる操作パネルＰ、不揮発性ストレージ４７、ネットワークインターフェース４８、ＮＦＣリーダー４９、無線通信インターフェース５０、プリンタコントローラー５１及びプリンタエンジン５２と相互に通信可能に接続されている。
【００３８】
制御部４１は、例えばＣＰＵ４２ａ、ＣＰＵ４２ａが実行するプログラムや各種データ等を記憶するためのＲＯＭ４２ｂ、及びＣＰＵ４２ａの作業領域として使用されるＲＡＭ４２ｃを備える。
【００３９】
ＣＰＵ４２ａは、本実施形態に係る各機能を実現するソフトウェアのプログラムコードをＲＯＭ４２ｂから読み出して実行する。ＲＡＭ４２ｃには、演算処理の途中に発生した変数やパラメータ等が一時的に書き込まれる。なお、制御部４１は、ＣＰＵ４２ａの代わりに、ＭＰＵ等の処理装置を備えるようにしてもよい。
【００４０】
表示部４５は、例えば、液晶ディスプレイモニタであり、制御部４１で行われる処理の結果等を表示する。操作部４６には、例えばタッチパネルが用いられ、ユーザーが所定の操作入力、指示を行うことが可能である。表示部４５と該表示部４５に積層された操作部４６により、操作パネルＰを構成する。
【００４１】
不揮発性ストレージ４７としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリカード等が用いられる。この不揮発性ストレージ４７には、ＯＳ（Operating System）、各種のパラメータの他に、制御部４１を機能させるためのプログラムが記録されていてもよい。例えば不揮発性ストレージ４７は、プリント予定ジョブや携帯端末管理リストなどを保持する。
【００４２】
ネットワークインターフェース４８には、例えば、ＮＩＣ等が用いられ、ＬＡＮ等のネットワークＮを介して各装置間で各種のデータを送受信することが可能である。なお、ネットワークＮは、例えばＩＥＥＥ８０２．１１に準拠した無線ＬＡＮなどでもよい。ネットワークインターフェース４８を無線対応とした場合には、ネットワークインターフェース４８は第２の通信部として機能することが可能である。
【００４３】
ＮＦＣリーダー４９（第２の近接通信部の一例）は、ＮＦＣ規格に準拠して、１０ｃｍ程度（第２の距離）の内に存在する携帯端末装置２のＮＦＣチップ１９とデータ通信を行う。ＮＦＣリーダー４９の検出面にＮＦＣチップ１９を搭載した携帯端末装置２をかざすように近づけることで通信が行われる。ＮＦＣリーダー４９は、アンテナからＮＦＣチップ１９に電磁波を送信して電源を供給する。ＮＦＣリーダー４９には、商用電源を利用した電力が供給される。
【００４４】
本実施形態のＮＦＣリーダー４９は、携帯端末装置２のＮＦＣチップ１９が自装置と通信可能な距離に存在することを検知した場合に、ＮＦＣチップ１９のメモリ１９ｍからプリント予定ジョブの名称及び携帯端末識別情報を読み出す。
【００４５】
無線通信インターフェース５０（第２の通信部の一例）は、例えば無線通信インターフェース１８と同規格のＮＩＣ等が用いられ、無線ＬＡＮ等により所定の距離（第１の距離（第１の距離＞第２の距離））内に存在する無線通信端末と接続してデータ通信を行う。無線通信インターフェース１８を備える携帯端末装置２は、無線通信端末の一例である。無線通信インターフェース５０は、アンテナより電波を送信し、所定の受信電波強度以上の電波で通信可能な無線通信端末と通信を行う。
【００４６】
なお、無線通信インターフェース５０の通信方法は、ＩＥＥＥ８０２．１１に準拠した無線通信の他、Ｂｌｕｅｔｏｏｔｈ（登録商標）や赤外線による通信でもよい。
【００４７】
プリンタコントローラー５１は、プリントジョブに基づいてプリンタエンジン５２に画像の印刷処理を行わせる。このプリンタコントローラー５１は、ネットワークインターフェース４８を介して携帯端末装置２からプリントジョブを受信する。そして、プリンタコントローラー５１は、受信したプリントジョブから取り出した入力データにラスタライズ処理（ＲＩＰ処理）を実行し、ビットマップデータ（画像形成用データ）を生成する。プリンタエンジン５２は、ビットマップデータに基づき印刷処理を行う。
【００４８】
図７は、第１の実施形態に係る印刷装置３の制御部４１の機能を示すブロック図である。ＣＰＵ４２ａが、ＲＯＭ４２ｂに格納されたプログラムを実行することにより各部の機能が実現される。
【００４９】
制御部４１は、携帯端末検知部４１ａ、携帯端末情報管理部４１ｂ、及びプリント対象ジョブ特定部４１ｃを備える。
【００５０】
携帯端末検知部４１ａは、無線通信インターフェース５０と携帯端末装置２の無線通信インターフェース１８との間の受信電波強度に基づいて、印刷装置３から所定の距離（第１の距離）内に携帯端末装置２が存在するかどうかを検知する。検知結果は携帯端末情報管理部４１ｂに通知される。
【００５１】
携帯端末情報管理部４１ｂは、携帯端末装置２に関する情報を管理する。携帯端末装置２に関する情報として、携帯端末装置２の携帯端末識別情報、充電残量、携帯端末装置２が印刷装置３の近傍（所定の距離内）に存在するか否かの情報等がある。携帯端末情報管理部４１ｂは、携帯端末装置２から受信したバッテリー２１の充電容量を、携帯端末識別情報と紐付けて携帯端末管理リストに登録する。
【００５２】
図８は、携帯端末情報管理部４１ｂにより管理される携帯端末管理リストの一例を示す。
【００５３】
携帯端末管理リスト６０は、レコードのフィールドとして携帯端末識別情報フィールド６１と、充電残量フィールド６２を有する。図８では、携帯端末識別情報が「ｋｅｉｔａｉ０１」である携帯端末装置２の充電残量が８％である。同様に、携帯端末識別情報が「ｋｅｉｔａｉ０２」、「ｋｅｉｔａｉ０３」である携帯端末装置２の充電残量はそれぞれ、７２％、１５％である。％値はバッテリー２１の全充電容量に対する充電残量の割合を表した百分率である。
【００５４】
図７の説明に戻る。携帯端末情報管理部４１ｂは、携帯端末検知部４１ａにより携帯端末装置２が所定の距離内に存在することを検知した場合に、ネットワークインターフェース４８（又は無線通信インターフェース５０）を介して携帯端末装置２に対し該携帯端末装置２の充電残量通知要求を送信する。そして、携帯端末装置２から通知された携帯端末装置２の充電残量が所定量以下である場合には、携帯端末装置２に対しプリント予定ジョブ送信要求を送信し、携帯端末装置２からプリント予定ジョブ及び携帯端末識別情報を受信する。
【００５５】
プリント対象ジョブ特定部４１ｃ（対象ジョブ特定部の一例）は、携帯端末装置２から受信したプリント予定ジョブの中から印刷を実行するプリント対象ジョブを特定する。
【００５６】
このプリント対象ジョブ特定部は、表示部４５に表示されたプリント予定ジョブの名称及び携帯端末識別情報の一覧の中から操作部４６により指定されたプリント予定ジョブの名称に紐付けられた携帯端末識別情報と、ＮＦＣリーダー４９を介して携帯端末装置２から受信したプリント予定ジョブに紐付けられた携帯端末識別情報とが一致するかどうかを判定する。そして、プリント対象ジョブ特定部は、双方の携帯端末識別情報が一致する場合には、指定されたプリント予定ジョブをプリント対象ジョブに特定する。
【００５７】
［プリント予定ジョブ送信処理］
図９は、第１の実施形態に係るプリント予定ジョブ送信処理例を示すシーケンス図である。以下では、印刷装置３によるプリント予定ジョブ送信処理について説明するが、印刷装置４でも同じである。印刷装置３の制御部４１（ＣＰＵ４２ａ）及び携帯端末装置２の制御部１１（ＣＰＵ１２ａ）の各々が、ＲＯＭ４１ｂ、ＲＯＭ１２ｂに格納されたプログラムを実行することにより図９（及び後述の図１１）のシーケンスが実現される。
【００５８】
まず印刷装置３の携帯端末検知部４１ａ（図７）は、無線通信インターフェース５０により印刷装置３の近く（第１の距離内）に存在する携帯端末装置２を検知する（Ｓ１）。
【００５９】
次に、携帯端末情報管理部４１ｂは、携帯端末装置２へ充電残量通知要求を送信する（Ｓ２）。
【００６０】
携帯端末装置２の充電残量監視部１１ａ（図３）は、充電残量通知要求を受信し（Ｓ３）、バッテリー２１の充電残量と携帯端末識別情報を印刷装置３へ通知する（Ｓ４）。
【００６１】
次に、印刷装置３の携帯端末情報管理部４１ｂは、携帯端末装置２から通知された充電残量と携帯端末識別情報を携帯端末管理リスト６０（図６）に登録する（Ｓ５）。
【００６２】
次に、携帯端末情報管理部４１ｂは、携帯端末装置２から通知された携帯端末装置２の充電残量と予めＲＯＭ４２ｂ等に保存した閾値とを比較し（Ｓ６）、充電残量が閾値以上である場合（Ｓ６のＮＯ）には本シーケンスの処理を終了する。
【００６３】
一方、充電残量が閾値よりも小さい場合には（Ｓ６のＹＥＳ）、携帯端末情報管理部４１ｂは、携帯端末装置２に対しプリント予定ジョブ送信要求を送信する（Ｓ７）。
【００６４】
次に、携帯端末装置２のジョブ管理部１１ｂは、印刷装置３からプリント予定ジョブ送信要求を受信すると、保有するプリント予定ジョブがあるか否かを判定し（Ｓ８）、プリント予定ジョブがない場合（Ｓ８のＮＯ）には本シーケンスの処理を終了する。
【００６５】
一方、プリント予定ジョブがある場合には（Ｓ８のＹＥＳ）には、ジョブ管理部１１ｂは、プリント予定ジョブテーブルからプリント予定ジョブを抽出する（Ｓ９）。
【００６６】
次に、ジョブ管理部１１ｂは、プリント予定ジョブのヘッダー部に携帯端末識別情報を付加した上で（Ｓ１０）、プリント予定ジョブを印刷装置３へ送信する（Ｓ１１）。
【００６７】
そして、ジョブ管理部１１ｂは、送信したプリント予定ジョブの名称をＮＦＣチップ１９のメモリ１９ｍに書き込む（Ｓ１２）。
【００６８】
ここで図１０に、プリント予定ジョブのデータ構造例を示す
【００６９】
プリント予定ジョブ７０は、ヘッダー部７１と本体部７２から構成される。ヘッダー部７１には、携帯端末識別情報７１ａとプリント予定ジョブの名称（ジョブ名）７１ｂが含まれる。ジョブ管理部１１ｂは、携帯端末識別情報７１ａに自装置の携帯端末装置２の携帯端末識別情報を書き込む。
【００７０】
次に、印刷装置３の携帯端末情報管理部４１ｂは、携帯端末装置２からプリント予定ジョブ（及び携帯端末識別情報）を受信する（Ｓ１３）。
【００７１】
そして、携帯端末情報管理部４１ｂは、そのプリント予定ジョブを不揮発性ストレージ４７等に蓄積する（Ｓ１４）。ステップＳ１４の処理が完了後、本シーケンスを終了する。
【００７２】
なお、ステップＳ６の充電残量と閾値を比較する処理は省略してもよい。
【００７３】
［印刷処理］
図１１は、第１の実施形態に係る印刷処理例を示すシーケンス図である。
【００７４】
まず印刷装置３の携帯端末検知部４１ａ（図７）は、ＮＦＣリーダー４９の検出面に携帯端末装置２がかざされた（又は載置された）ことを検知する（Ｓ２１）。このとき、印刷装置３のＮＦＣリーダー４９は、アンテナより電磁波を放出して携帯端末装置２のＮＦＣチップ１９に電力を供給する。
【００７５】
携帯端末装置２のＮＦＣチップ１９（図３）は、印刷装置３から電力を供給されて起動する。そして、ＮＦＣチップ１９は、メモリ１９ｍに保存された送信済みのプリント予定ジョブの名称及び携帯端末識別情報を印刷装置３へ送信する（Ｓ２２）。本シーケンスにおける携帯端末装置２の処理はここで終了である。
【００７６】
次に、印刷装置３のプリント対象ジョブ特定部４１ｃは、携帯端末装置２から送信済みのプリント予定ジョブの名称及び携帯端末識別情報を受信する（Ｓ２３）。そして、プリント対象ジョブ特定部４１ｃは、それらを操作パネルＰ（表示部４５）に一覧表示し（Ｓ２４）、ユーザーからプリント予定ジョブの名称の指定を受け付ける（Ｓ２５）。
【００７７】
次に、プリント対象ジョブ特定部４１ｃは、指定されたプリント予定ジョブの名称とＮＦＣリーダー４９で検知した携帯端末装置２の携帯端末識別情報とを元に、印刷装置３内に蓄積したプリント予定ジョブから印刷処理を実行するプリント予定ジョブ（以下「プリント対象ジョブ」）を特定する（Ｓ２６）。ここではプリント対象ジョブ特定部４１ｃは、各プリント予定ジョブのヘッダー部７１を解析し、携帯端末識別情報７１ａとジョブ名７１ｂを確認する。
【００７８】
そして、プリンタコントローラー５１は、プリント対象ジョブ特定部４１ｃにより特定されたプリント対象ジョブに基づいて印刷処理を実行する（Ｓ２７）。この処理が完了した後、本シーケンスを終了する。
【００７９】
［第１の実施形態の効果］
上述した第１の実施形態によれば、携帯端末装置２が、プリント予定ジョブ送信と同時に携帯端末装置２のＮＦＣチップ１９にプリント予定ジョブの名称を記録する。これにより、携帯端末装置２（バッテリー２１）の電源が切れている場合又はジョブ送信に必要な充電残量が不足している場合でも、ジョブ印刷時に印刷装置３へ携帯端末装置２をかざすことで、印刷装置３，４のＮＦＣリーダー４９が、携帯端末装置２のＮＦＣチップ１９に保持されている携帯端末識別情報とプリント予定ジョブの名称を取得することができる。
【００８０】
そして、印刷装置３，４は、操作パネルＰにプリント予定ジョブの名称を一覧表示する。そして、ユーザーが印刷したいプリント予定ジョブを選択すると、印刷装置３，４は選択されたプリント予定ジョブと対応する携帯端末識別情報をキーワードに、印刷装置３，４に蓄積されたプリント予定ジョブからプリント対象ジョブを特定し、印刷を実行する。それゆえ、ユーザーは携帯端末装置２の充電切れを気にすることなく、携帯端末装置２から印刷装置３，４へプリント予定ジョブを送信して印刷（モバイルプリント）を実行することが可能となる。
【００８１】
また、印刷装置３，４が、携帯端末装置２からプリント予定ジョブを読み出すタイミングを携帯端末装置２の充電残量低下時（ステップS６，S７）に限定することにより、ネットワークNの負荷を軽減できる。また、携帯端末装置２の充電切れに備えて事前に全てのプリント予定ジョブをサーバーにアップしておく必要はなくなるため、サーバーの負荷の軽減やストレージ容量の圧迫を抑えることができる。
【００８２】
＜２．第２の実施形態＞
第２の実施形態は、印刷装置３が携帯端末装置２（バッテリー２１）の充電残量を判定するための閾値として、第１閾値と第２閾値を設定した例である。
【００８３】
図１２は、第２の実施形態に係る携帯端末装置２の充電残量に応じた充電残量通知要求の送信設定処理例を示すフローチャートである。
【００８４】
まず印刷装置３の携帯端末情報管理部４１ｂは、携帯端末装置２から通知された携帯端末装置２の充電残量とＲＯＭ４２ｂ等に保存した第１閾値とを比較する（Ｓ３１）。このステップＳ３１の判定処理は、図９のステップＳ６の判定処理に対応するものである。
【００８５】
充電残量が第１閾値以上である場合には（Ｓ３１のＮＯ）、携帯端末情報管理部４１ｂは、次回の充電残量通知要求の送信時間を規定の一定時間以上あけた時刻に設定し、次回の送信時刻及び携帯端末識別情報を携帯端末管理リスト６０に登録する（Ｓ３４）。この処理が完了後、本フローチャートの処理を終了する。
【００８６】
次に、ステップＳ３１において充電残量が第１閾値よりも小さい場合には（Ｓ３１のＹＥＳ）、携帯端末情報管理部４１ｂは、充電残量と第２閾値（第２閾値＜第１閾値）を比較する（Ｓ３２）。充電残量が第２閾値よりも小さい場合には（Ｓ３２のＹＥＳ）、携帯端末情報管理部４１ｂはステップＳ７（図９）の処理に進み、携帯端末装置２に対しプリント予定ジョブ送信要求を送信する。
【００８７】
一方、充電残量が第２閾値以上である場合には（Ｓ３２のＮＯ）、携帯端末情報管理部４１ｂは、充電残量に基づいて次回の充電残量通知要求の送信時刻を算出する（Ｓ３３）。そして、次回の送信時刻及び携帯端末識別情報を携帯端末管理リスト６０に登録する（Ｓ３４）。この処理が完了後、本フローチャートの処理を終了する。
【００８８】
例えば、充電残量の第１閾値を３０％、第２閾値を１０％である場合を説明する。
図８の携帯端末管理リスト６０に示す‘ｋｅｉｔａｉ０１’の携帯端末装置の場合、その充電残量は８％（＜第２閾値）であるので、ステップＳ７のプリント予定ジョブ送信要求の送信が行われる。
‘ｋｅｉｔａｉ０２’の携帯端末装置の場合、その充電残量は７２％（＞第１閾値）であるので（Ｓ３１のＮＯ）、処理は何も行われない。
‘ｋｅｉｔａｉ０３’の携帯端末装置の場合、その充電残量は１５％（第２閾値＜充電残量＜第１閾値）であるので、ステップ３３の次回充電残量通知要求の送信時刻の算出が行われる。
【００８９】
充電残量１５％と第２閾値１０％の差分は５％である。仮に１時間当たり２．５％ずつ充電容量が減少すると仮定した場合、充電残量は２時間後に第２閾値１０％に達する。そこで、次回のプリント予定ジョブ送信要求を送信するタイミングを、現在時刻から２時間後又はそれより少し前の時刻（送信設定時刻）に設定する。携帯端末情報管理部４１ｂは、この送信設定時刻を携帯端末管理リスト６０に登録する。
【００９０】
また、例えば充電残量が１５％の場合には、さらに１時間後にプリント予定ジョブ送信要求を送信するように設定する。
【００９１】
上述した第２の実施形態によれば、携帯端末装置２の充電残量に応じて充電残量通知要求の送信時刻（送信タイミング）を設定する。これにより、充電残量が第２閾値に到達するまでの間に余計な充電残量通知要求の送信を行うことがなく、携帯端末装置２の電力消費を節約できる。
【００９２】
＜３．第３の実施形態＞
第３の実施形態は、携帯端末装置２が、バッテリー２１の充電残量に応じて能動的にプリント予定ジョブを送信する例である。
【００９３】
携帯端末装置２のジョブ管理部１１ｂは、プリント予定ジョブの送信に必要な電力量を算出する。プリント予定ジョブの送信に必要な電力量は、印刷を実行する入力データのサイズが大きいほど大きくなる。次に、ジョブ管理部１１ｂは、その電力量からバッテリー２１の充電残量を減算する計算を行い、その計算値（差分値）と閾値を比較する。そして、計算値が閾値よりも小さい場合には、ジョブ管理部１１ｂは、プリント予定ジョブのヘッダー部に携帯端末識別情報を付与し、印刷装置３，４にプリント予定ジョブを送信する。
【００９４】
上述した第３の実施形態によれば、携帯端末装置２がバッテリー２１の充電残量に応じて能動的にプリント予定ジョブを送信する。第１及び第２の実施形態では、印刷装置３は近くに携帯端末装置２が存在すると認めた場合にのみ、充電残量通知要求を送信していた。本実施形態により、印刷装置３，４からのプリント送信ジョブ送信要求を待たずに、印刷装置３，４へプリント予定ジョブを送信（プッシュ送信）することができる。それゆえ、バッテリー２１の充電残量が、プリント予定ジョブを印刷装置３，４へ送信する前に、消失する機会を減らすことができる。
【００９５】
＜４．第４の実施形態＞
第４の実施形態は、指定されたプリント予定ジョブが自装置にない場合に印刷処理を行う例である。
【００９６】
図１３は、本発明の第４の実施形態に係る指定されたプリント予定ジョブが自装置にない場合の印刷処理例を示すフローチャートである。
【００９７】
まず印刷装置３のプリント対象ジョブ特定部４１ｃは、携帯端末装置２から送信済みのプリント予定ジョブの名称及び携帯端末識別情報を操作パネルＰ（表示部４５）に一覧表示し、ユーザーからプリント予定ジョブの名称の指定を受け付ける（Ｓ４１）。この処理はステップＳ２５の処理に対応する。
【００９８】
次に、プリント対象ジョブ特定部４１ｃは、指定されたプリント予定ジョブの名称とＮＦＣリーダー４９で検知した携帯端末装置２の携帯端末識別情報とを元に、印刷装置３内に蓄積したプリント予定ジョブからプリント対象ジョブを検索する（Ｓ４２）。この処理はステップＳ２６の処理に対応する。
【００９９】
ここで、プリント対象ジョブ特定部４１ｃは、自装置である印刷装置３にプリント対象ジョブがあるか否かを判定し（Ｓ４３）、自装置にプリント対象ジョブがある場合には（Ｓ４３のＹＥＳ）、自装置のプリント対象ジョブに基づいて印刷処理を実行する（Ｓ４６）。この処理が完了した後、本シーケンスを終了する。
【０１００】
一方、自装置にプリント対象ジョブがない場合には（Ｓ４３のＮＯ）、プリント対象ジョブ特定部４１ｃは、プリント予定ジョブの名称と携帯端末識別情報をパラメータとするジョブ転送要求を、ネットワークＮに接続された他の印刷装置（図１の例では印刷装置４）へ送信（ブロードキャスト送信）する。このとき、印刷装置３が送信するジョブ転送要求には、ネットワークＮに接続された複数の印刷装置から印刷装置３を識別するための「印刷装置識別情報」が含まれているものとする。なお、ネットワークＮに接続された全ての印刷装置をジョブ転送要求の送信対象としてもよいし、一部の印刷装置に限定してもよい（Ｓ４４）。
【０１０１】
印刷装置３から上記ジョブ転送要求を受信した印刷装置４は、自装置に該当プリント予定ジョブがあるか検索し、該当プリント予定ジョブをネットワークＮを介して印刷装置３へ転送する。印刷装置３のプリント対象ジョブ特定部４１ｃは、印刷装置４から転送された該当プリント予定ジョブを受信する（Ｓ４５）。
【０１０２】
そして、印刷装置３のプリント対象ジョブ特定部４１ｃは、印刷装置４から受信したプリント予定ジョブがプリント対象ジョブであることを確認し、プリンタコントローラー５１にこのプリント対象ジョブの印刷を指示する。それにより、プリンタエンジン５２が、プリント対象ジョブに基づき印刷処理を実行する（Ｓ４６）。この処理が完了した後、本フローチャートを終了する。
【０１０３】
上述した第４の実施形態によれば、複数の印刷装置がネットワーク経由で接続されており、プリント予定ジョブのデータを受信した印刷装置とユーザーが印刷指示したい印刷装置が異なる場合であっても、ユーザーが印刷指示したい印刷装置に印刷を実行させることができる。
【０１０４】
＜５．第５の実施形態＞
第５の実施形態は、印刷装置３，４においてプリント予定ジョブの名称と携帯端末識別情報を紐付けたジョブ管理リストを作成する例である。
【０１０５】
携帯端末装置２のジョブ管理部１１ｂは、印刷装置３，４からプリント予定ジョブ送信要求を受信し、プリント予定ジョブを送信する際に、携帯端末識別情報をプリント予定ジョブとは別に送信してもよい。この場合、印刷装置３，４の携帯端末情報管理部４１ｂは、プリント予定ジョブと携帯端末識別情報を別々に受信し、プリント予定ジョブと携帯端末識別情報を紐付けるジョブ管理リストを作成する。
【０１０６】
図１４は、第５の実施形態に係るジョブ管理リストの一例を示す図である。
【０１０７】
携帯端末管理リスト８０は、レコードのフィールドとしてプリントフィールド８１と、携帯端末識別情報フィールド８２を有する。図１４の例では、携帯端末識別情報が「ｋｅｉｔａｉ０１」は携帯端末装置２に相当し、プリント予定ジョブとして‘ＡＡＡ’（図４Ａ、図４Ｂ）が登録されている。
【０１０８】
上述した第５の実施形態によれば、携帯端末装置２がプリント予定ジョブを送信する際に、プリント予定ジョブのヘッダー部に携帯端末識別情報を書き込む必要がない。そのため、携帯端末装置２の制御部１１の処理負荷が軽減され、処理速度が上がる。
【０１０９】
なお、印刷装置３，４の携帯端末情報管理部４１ｂが、プリント予定ジョブと携帯端末識別情報を別々に受信し、印刷装置内でプリント予定ジョブのヘッダー部に携帯端末識別情報を書き込んでもよい。
【０１１０】
＜６．その他＞
なお上述した各実施形態において、印刷装置３，４の携帯端末検知部４１ａは、全地球測位システム（ＧＰＳ：Global Positioning System）を利用して、印刷装置３，４から所定の距離（第１の距離）内に携帯端末装置２が存在するかどうかを検知するようにしてもよい。
【０１１１】
また、図１の印刷システム１に接続された印刷装置は２台だが、印刷装置は３台以上でもよいことは勿論である。
【０１１２】
また、セキュリティや資源確保の点から、印刷装置の携帯端末情報管理部４１ｂは、印刷装置に蓄積したプリント予定ジョブの中から印刷処理を実行したプリント予定ジョブのデータを削除することが望ましい。このとき、該当プリント予定ジョブが複数の印刷装置にまたがって蓄積されている場合には、他の印刷装置に蓄積されたプリント予定ジョブについても削除する。
【０１１３】
また、携帯端末情報管理部４１ｂは、プリント予定ジョブのデータを蓄積後、一定期間が経過したプリント予定ジョブを削除するようにしてもよい。
【０１１４】
さらに、本発明は上述した各実施形態例に限られるものではなく、特許請求の範囲に記載した本発明の要旨を逸脱しない限りにおいて、その他種々の応用例、変形例を取り得ることは勿論である。
【０１１５】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【０１１６】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【０１１７】
また、制御線や情報線は説明上必要と考えられるものを示しており、製品上必ずしも全ての制御線や情報線を示しているとは限らない。実際には殆ど全ての構成が相互に接続されていると考えてもよい。
【０１１８】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【０１１９】
１…印刷システム、  ２…携帯端末装置、  ３，４…印刷装置、  ５…アクセスポイント、  １１…制御部、  １１ａ…充電残量監視部、  １１ｂ…ジョブ管理部、  １５…表示部、  １６…操作部、  １７…不揮発性ストレージ、  １８…無線通信インターフェース（第１の通信部）、  １９…ＮＦＣチップ（第１の近接通信部）、  １９ｍ…メモリ、  ２１…バッテリー（二次電池）、  ４１…制御部、  ４１ａ…携帯端末検知部、  ４１ｂ…携帯端末情報管理部、  ４１ｃ…プリント対象ジョブ特定部、  ４５…表示部、  ４６…操作部、  ４７…不揮発性ストレージ、  ４８…ネットワークインターフェース、  ４９…ＮＦＣリーダー（第２の近接通信部）、  ５０…無線通信インターフェース（第２の通信部）、  ６０…携帯端末管理リスト、  ７０…プリント予定ジョブ、  ８０…ジョブ管理リスト、  Ｐ…操作パネル
【図１】
2018041313.tif 000003
【図２】
2018041313.tif 000004
【図３】
2018041313.tif 000005
【図４】
2018041313.tif 000006
【図５】
2018041313.tif 000007
【図６】
2018041313.tif 000008
【図７】
2018041313.tif 000009
【図８】
2018041313.tif 000010
【図９】
2018041313.tif 000011
【図１０】
2018041313.tif 000012
【図１１】
2018041313.tif 000013
【図１２】
2018041313.tif 000014
【図１３】
2018041313.tif 000015
【図１４】
2018041313.tif 000016